(57)【要約】【課題】  市販のステープラをそのまま使用して、書類の複数箇所に対する打針作業を、正確、かつ、迅速に行うことができるステープラホルダの提供。【解決手段】  書類の載置面１１ａを有する基台１１と、基台１１に所定の間隔で二箇所配置されるとともに、基台１１に対して着脱自在に取り付けられ、ステープラ１２のクリンチャアーム１２ａを保持するための保持部３５を有するカセットホルダ１３と、カセットホルダ１３に保持されたステープラ１２を基台１１との間に挟むように、基台１１に回動自在に軸支され、ステープラ１２のハンドル１２ｃをクリンチャ１２ｂに向けて押圧操作する操作レバー１５とを備え、カセットホルダ１３は、保持部３５に保持されたクリンチャアーム１２ａのクリンチャ１２ｂが載置面１１ａに載置された書類の綴込み位置に配置されるように、基台１１に取り付けられる構成としてある。【選択図】  図１
0003117953.tif 000002
【実用新案登録請求の範囲】
【請求項１】
書類の綴込み機能を有するステープラを複数個保持するためのステープラホルダであって、
前記書類の載置面を有する基台と、
該基台に所定の間隔で複数箇所配置されるとともに、前記基台に対して着脱自在に取り付けられ、前記ステープラのクリンチャアームを保持するための保持部を有するカセットホルダと、
該カセットホルダに保持された前記ステープラを前記基台との間に挟むように、該基台に回動自在に軸支され、該ステープラのハンドルを前記クリンチャアームのクリンチャに向けて押圧操作する操作レバーとを備え、
前記カセットホルダは、前記保持部に保持された前記クリンチャアームのクリンチャが前記載置面に載置された前記書類の綴込み位置に配置されるように、前記基台に取り付けられることを特徴とするステープラホルダ。
【請求項２】
前記基台における前記書類の載置面での該書類の縦方向の位置決めをする縦方向位置決め部材を備えたことを特徴とする請求項１に記載したステープラホルダ。
【請求項３】
前記基台における前記書類の載置面での該書類の横方向の位置決めをする横方向位置決め部材を備えたことを特徴とする請求項１又は２に記載したステープラホルダ。
【請求項４】
前記カセットホルダの前記保持部は、前記ステープラの種類に応じて保持形状及び／又は寸法が異なることを特徴とする請求項１〜３のいずれか一項に記載したステープラホルダ。
【請求項５】
前記カセットホルダは、幅方向の両側部が前記基台の上面から前記基台の厚さ方向に次第に拡がるテーパ状に形成されるとともに、該テーパ形状に対応して前記基台の上面に形成されたテーパ溝に該基台の側面から挿脱自在に取り付けられ、かつ、前記テーパ溝に前記カセットホルダを挿入した状態で、該カセットホルダを前記基台に係止する係止部材を備えたことを特徴とする請求項１〜４のいずれか一項に記載したステープラホルダ。
【考案の詳細な説明】
【技術分野】
【０００１】
本考案は、書類の綴込み機能を有する、例えばハンディタイプのステープラを複数個保持するためのステープラホルダに関する。
【背景技術】
【０００２】
従来、オフィス等で使用されるハンディタイプや卓上タイプのステープラは、書類を複数箇所（通常２〜３カ所）で綴じる際に、綴じ数に応じた回数だけ打針しなければならず、打針作業の効率が悪い。そこで、従来においては、基台上に複数のステープラを所定の間隔で設置し、操作部材を手や電磁ソレノイド等を用いて作動させることにより、書類の複数箇所の打針作業を同時に行うようにした複合ステープラ装置が提案されている（例えば、特許文献１参照）。
【特許文献１】特開平９−１４１６１４号公報
【考案の開示】
【考案が解決しようとする課題】
【０００３】
上記特許文献１においては、基台にステープラを固定するために、該ステープラのクリンチャアーム等に位置決め孔やねじ止め孔を形成しなければならず、市販のステープラをそのまま用いることができない。このため、一般のユーザにとっては、複数のステープラを所持しているにもかかわらず、予め複数の新規ステープラがセットされた複合ステープラ装置を購入することになり、無駄な支出を強いられることになる。
本考案は、このような不都合を解消するためになされたものであり、市販のステープラをそのまま使用して、低コストで書類の複数箇所の打針作業を、正確、かつ、迅速に行うことができるステープラホルダの提供を目的とする。
【課題を解決するための手段】
【０００４】
上記目的を達成するために、請求項１に係る考案は、書類の綴込み機能を有するステープラを複数個保持するためのステープラホルダであって、
前記書類の載置面を有する基台と、該基台に所定の間隔で複数箇所配置されるとともに、前記基台に対して着脱自在に取り付けられ、前記ステープラのクリンチャアームを保持するための保持部を有するカセットホルダと、該カセットホルダに保持された前記ステープラを前記基台との間に挟むように、該基台に回動自在に軸支され、該ステープラのハンドルを前記クリンチャアームのクリンチャに向けて押圧操作する操作レバーとを備え、
前記カセットホルダは、前記保持部に保持された前記クリンチャアームのクリンチャが前記載置面に載置された前記書類の綴込み位置に配置されるように、前記基台に取り付けられる構成としてある。
【０００５】
上記構成によれば、市販のステープラのクリンチャアームを保持部に保持した複数のカセットホルダを基台に取り付け、この状態で操作レバーによってステープラのハンドルをクリンチャアームのクリンチャに向けて押圧操作することにより、基台の載置面にセットされた書類の複数箇所に対する打針作業を同時に行うことができる。これにより、市販のステープラをそのまま使用して、低コストで書類の複数箇所の打針作業を正確、かつ、迅速に行うことができる。
【０００６】
請求項２に係る考案は、請求項１において、前記基台における前記書類の載置面での該書類の縦方向の位置決めをする縦方向位置決め部材を備えた構成としてある。
上記構成によれば、縦方向位置決め部材によって基台の載置面上での書類の縦方向の位置決めを行うことにより、書類の複数箇所に対する打針作業をより正確に行うことができる。
【０００７】
請求項３に係る考案は、請求項１又は２において、前記基台における前記書類の載置面での該書類の横方向の位置決めをする横方向位置決め部材を備えた構成としてある。
上記構成によれば、横方向位置決め部材によって基台の載置面上での書類の横方向の位置決めを行うことにより、書類の複数箇所に対する打針作業をより正確に行うことができる。
【０００８】
請求項４に係る考案は、請求項１〜３のいずれか一項において、前記カセットホルダの前記保持部が、前記ステープラの種類に応じて保持形状及び／又は寸法が異なる構成としてある。
上記構成によれば、ステープラの機種やメーカが異なって、ステープラの形状や寸法が異なる場合においても、ステープラのクリンチャアームをカセットホルダの保持部によって保持し、基台の載置面にセットされた書類の複数箇所の打針作業を同時に行うことができる。
【０００９】
請求項５に係る考案は、請求項１〜４のいずれか一項において、前記カセットホルダが、幅方向の両側部が前記基台の上面から前記基台の厚さ方向に次第に拡がるテーパ状に形成されるとともに、該テーパ形状に対応して前記基台の上面に形成されたテーパ溝に該基台の側面から挿脱自在に取り付けられ、かつ、前記テーパ溝に前記カセットホルダを挿入した状態で、該カセットホルダを前記基台に係止する係止部材を備えた構成としてある。
上記構成によれば、基台の側面からカセットホルダをテーパ溝に挿入して、係止部材でカセットホルダを基台に係止することにより、カセットホルダを基台に簡単に取り付けることができる。また、係止部材を外してカセットホルダをテーパ溝から引き抜くことにより、カセットホルダを基台から簡単に取り外すことができる。
【考案の効果】
【００１０】
本考案によれば、市販のステープラをそのまま使用して、低コストで書類の複数箇所に対する打針作業を、正確、かつ、迅速に行うことができるという効果が得られる。
【考案を実施するための最良の形態】
【００１１】
以下、本考案の実施の形態の一例を図を参照して説明する。図１は本考案の実施の形態の一例であるステープラホルダの一部を切り欠いた平面図、図２は図１のａ−ａ線断面図、図３は図１のｂ−ｂ線断面図、図４は図１の右側面図である。
【００１２】
本考案の実施の形態の一例であるステープラホルダ１０は、図１に示すように、書類の載置面１１ａを上面に有する基台１１と、該基台１１に所定の間隔で二箇所配置されるカセットホルダ１３と、基台１１に回動自在に軸支された操作レバー１５と、基台１１における載置面１１ａでの書類の縦方向の位置決めをする縦方向位置決め部材１８と、基台１１における載置面１１ａでの書類の横方向の位置決めをする横方向位置決め部材１７とを備えている。
【００１３】
基台１１は、例えば、樹脂,金属などの成形品とされて、上面が長方形状をなしており、短手方向の略中央部より一側（図１の下側）の上面が書類の載置面１１ａとされている。基台１１の下面の四隅には、それぞれ滑り止め用のパッド２２が取り付けられている。また、基台１１の短手方向の略中央部より他側（図１の上側）の上面には、図２に示すように、両内側面が基台１１の上面から基台１１の厚さ方向に向けて次第に拡がるテーパ溝３０が基台１１の長手方向に互いに離間して二箇所形成されている。該テーパ溝３０は、基台１１の長辺側の側面に開口しており、該開口部３１（図３参照）からカセットホルダ１３がテーパ溝３０に挿脱自在に挿入される。
【００１４】
カセットホルダ１３は、図５に示すように、テーパ溝３０の長さより長い底板３２と、該底板３２の長手方向の端部から上方に延びる端板３３と、底板３２の幅方向の両側部から上方に延びる一対の側板３４とを備えている。
一対の側板３４は底板３２より短く形成されており、各外側面はテーパ溝３０に対応して底板３２側に向けて次第に拡がるテーパ形状とされている（図５（ｂ）参照）。一対の側板３４の各内側面は互いに平行な面とされており、一対の側板３４と端板３３と底板３２とによって囲まれる空間がステープラ１２のクリンチャアーム１２ａを保持する保持部３５とされている。保持部３５の底部には、干渉材としてのクッション部材１３ａが敷設されている。
【００１５】
そして、ステープラ１２のクリンチャアーム１２ａを保持したカセットホルダ１３を端板３３側を挿入側として基台１１の開口部３１からテーパ溝３０に挿入し、一対の側板３４の端部にストッパ部材（係止部材）１４をあてがうことにより、基台１１にカセットホルダ１３が着脱自在に取り付けられる。ストッパ部材１４は、図１に示すように、長尺な板材とされており、長手方向の両端部を基台１１の開口部３１側の側面に形成された挿入溝３７に挿入することにより、カセットホルダ１３の一対の側板３４の端部にあてがわれるように配置される。
【００１６】
従って、基台１１の側面からカセットホルダ１３をテーパ溝３０に挿入して、ストッパ部材１４を一対の側板３４の端部にあてがうことにより、カセットホルダ１３が基台１１に係止されるので、該カセットホルダ１３を基台１１に簡単に取り付けることができるとともに、カセットホルダ１３が基台１１から脱落するのを防止することができる。また、ストッパ部材１４を外してカセットホルダ１３をテーパ溝３０から引き抜くことにより、カセットホルダ１３を基台１１から簡単に取り外すことができる。
なお、カセットホルダ１３の、基台１１への係止は、上記態様に限定されるものではなく、例えば、カセットホルダ１３の側部に凸部を形成し、基台１１に前記凸部の係合する凹部を設けた構成とすることもできる。
【００１７】
ここで、カセットホルダ１３が基台１１に取り付けられた状態においては、保持部３５に保持されたクリンチャアーム１２ａのクリンチャ１２ｂ（曲げ台：図３参照）が、後述する縦方向位置決め部材１８及び横方向位置決め部材１７によって基台１１の載置面１１ａに位置決めされた書類の綴込み位置に配置される。
また、この実施の形態では、ステープラ１２の機種やメーカが異なって形状や寸法が異なる場合においても、ステープラ１２のクリンチャアーム１２ａをカセットホルダ１３の保持部３５に保持できるようにすべく、ステープラ１２の種類に応じて保持形状及び／又は寸法が異なる保持部３５を有するカセットホルダ１３を複数種類用意している。なお、保持部３５については、この実施の形態では、カセットホルダ１３と一体に設けた場合を例示したが、カセットホルダ１３と保持部３５とを別体として互いに着脱自在としてもよい。
【００１８】
操作レバー１５は、図１及び図４に示すように、基台１１の２つのテーパ溝３０の両側にそれぞれ突設された突出片３６に両端部が回動可能に支持された回動軸１６に固定されており、カセットホルダ１３に保持されたステープラ１２を基台１１との間に挟むように配置されている。そして、操作レバー１５を基台１１側に向けて回動操作することにより、ステープラ１２のハンドル１２ｃ（図３参照）がクリンチャアーム１２ａのクリンチャ１２ｂに向けて押圧されるようになっている。
【００１９】
横方向位置決め部材１７は、図１及び図６に示すように、長尺な基板４０と、該基板４０の幅方向の一側から上方に延びる位置決め板４１と、基板４０の幅方向の一側から下方の延びる装着突起４２とを備えている。
装着突起４２は下部が断面円形状とされており、基台１１の載置面１１ａの長手方向両側に形成された装着溝４３に装着されるようになっている。装着溝４３は、装着突起４２に対応する溝形状を有して、基台１１の載置面１１ａの長手方向両側にそれぞれ三本ずつ基台１１の短手方向に沿って形成されている。
【００２０】
そして、横方向位置決め部材１７の装着突起４２を書類のサイズに応じた位置にある装着溝４３に装着することにより、載置面１１ａに載置した書類の例えば短手方向に沿う辺部が位置決め板４１に当接し、これにより、載置面１１ａでの書類の横方向の位置決めがなされる。なお、各装着溝４３の近傍に用紙規格サイズ（Ａ５，Ａ４，Ａ３，Ｂ５，Ｂ４等）に合わせた目盛りを表示しておくとよい。また、この実施の形態では、横方向位置決め部材１７の装着突起４２を基台１１の装着溝４３に装着するようにしているが、横方向位置決め部材１７を公知のスライド機構等によってスライドさせるようにしてもよい。
【００２１】
縦方向位置決め部材１８は、図１及び図７に示すように、基板４４と、該基板４４の幅方向の一側から上方に延びる位置決め板４５とを備えている。
基板４４の長手方向の両端部には、位置決め板４５よりも外方に突出する突出部４６がそれぞれ形成されている。また、基板４４及び位置決め板４５の長手方向の略中央部には、前方に突出する一対の支持板４７が長手方向に互いに離間して固定されており、該一対の支持板４７には、ピニオン１８ａが回転可能に支持されている。
かかる支持状態においては、ピニオン１８ａは、図７（ｂ）に示すように、基板４４の前方で、かつ、その歯部が基板４４の下方に配置されている。
【００２２】
このように構成された縦方向位置決め部材１８は、ピニオン１８ａが、図１及び図８に示すように、基台１１のテーパ溝３０と基台１１の短手方向に沿う側面との間に取り付けられたラック２０に噛合して、基台１１の短手方向に転動し、該転動に伴って基板４４及び位置決め板４５が一体に同方向に移動可能とされている。
このとき、基板４４の長手方向の両端側に突出する突出部４６は、図１に示すように、基台１１上面のラック２０の幅方向両側（基台１１の長手方向の両側）にねじ５０等を介して取り付けられた一対のガイド部材１９（図９及び図１０参照）の挿入溝１９ａに挿入されて、ピニオン１８ａの転動方向に沿って案内される。そして、ガイド部材１９の近傍に刻設した目盛り２１を読みながら、ピニオン１８ａを前後方向に転がして縦方向位置決め部材１８の位置を所定の位置に設定し、基台１１の載置面１１ａに載置した書類の例えば長手方向に沿う辺部を位置決め板４５に当接させることにより、載置面１１ａでの書類の縦方向の位置決めがなされる。
【００２３】
そして、横方向位置決め部材１７及び縦方向位置決め部材１８によって、基台１１の載置面１１ａでの書類の横方向及び縦方向の位置決めを行った後、操作レバー１５を基台１１側に向けて回動操作することにより、二つのステープラ１２のハンドル１２ｃがそれぞれクリンチャアーム１２ａのクリンチャ１２ｂに向けて押圧され、ハンドル１２ｃのマガジン１２ｄ（図３及び図４参照）に収納された針がドライバ（針を押し下げる金属板）１２ｅによって押し出される。これにより、針が書類を貫通して該針の先端がクリンチャ１２ｂの溝に沿って曲げられ、二箇所の打針作業が同時に行われて、書類の綴じ込みが完了する。
【００２４】
このように、この実施の形態では、市販のステープラ１２のクリンチャアーム１２ａを保持部３５に保持した二つカセットホルダ１３を基台１１に取り付け、この状態で操作レバー１５によってステープラ１２のハンドル１２ｃをクリンチャアーム１２ａのクリンチャ１２ｂに向けて押圧操作することにより、基台１１の載置面１１ａにセットされた書類の二箇所に対する打針作業を同時に行うことができる。これにより、市販のステープラ１２を加工したり分解したりすることなく、そのまま使用して、低コストで書類の二箇所に対する打針作業を正確、かつ、迅速に行うことができる。
また、縦方向位置決め部材１８及び横方向位置決め部材１７によって基台１１の載置面１１ａ上での書類の縦方向及び横方向の位置決めを行っているので、打針作業者の熟練度に関係なく、正確な書類の複数箇所の打針作業をより迅速に行うことができる。
【００２５】
なお、本考案のステープラ、載置面、基台、クリンチャアーム、保持部、カセットホルダ、ハンドル、クリンチャ、操作レバー、縦方向位置決め部材、横方向位置決め部材、テーパ溝、係止部材の他に、縦方向位置決め部材の送り機構や横方向位置決め部材の装着構造等の構成は、上記実施の形態に例示したものに限定されるものではなく、本考案の要旨を逸脱しない範囲において適宜変更可能である。
さらに、書類の三箇所以上に、同時に打針作業を行わせるべく、カセットホルダを基台に三つ以上取り付けるようにすることも可能である。
【図面の簡単な説明】
【００２６】
【図１】本考案の実施の形態の一例であるステープラホルダの一部を切り欠いた平面図である。
【図２】図１のａ−ａ線断面図である。
【図３】図１のｂ−ｂ線断面図である。
【図４】図１の右側面図である。
【図５】カセットホルダを示す図であり、（ａ）は平面図、（ｂ）は（ａ）の右側面図、（ｃ）は（ａ）のｃ−ｃ線断面図である。
【図６】横方向位置決め部材を示す図であり、（ａ）は正面図、（ｂ）は（ａ）のｅ−ｅ線断面図である。
【図７】縦方向位置決め部材を示す図であり、（ａ）は正面図、（ｂ）は（ａ）のｆ−ｆ線断面図である。
【図８】縦方向位置決め部材のピニオンが噛合するラックを示す図であり、（ａ）は平面図、（ｂ）は（ａ）のｇ−ｇ線断面図である。
【図９】縦方向位置決め部材のガイド部材を示す平面図である。
【図１０】図９のｄ−ｄ線断面図である。
【符号の説明】
【００２７】
１０  ステープラホルダ
１１  基台
１１ａ  載置面
１２  ステープラ
１２ａ  クリンチャアーム
１２ｂ  クリンチャ
１２ｃ  ハンドル
１３  カセットホルダ
１４  ストッパ部材（係止部材）
１５  操作レバー
１７  横方向位置決め部材
１８  縦方向位置決め部材
３０  テーパ溝
３５  保持部
【図１】
0003117953.tif 000003
【図２】
0003117953.tif 000004
【図３】
0003117953.tif 000005
【図４】
0003117953.tif 000006
【図５】
0003117953.tif 000007
【図６】
0003117953.tif 000008
【図７】
0003117953.tif 000009
【図８】
0003117953.tif 000010
【図９】
0003117953.tif 000011
【図１０】
0003117953.tif 000012